(57)【要約】      （修正有）【課題】表示内容の設置・変更・撤去にかかる手間とコストを低減し、暗所でも認識しやすくするために、実像を投影できる照明装置と、その使用方法を提供する。【解決手段】照明装置は、光源として用いるＬＥＤチップ５に凸レンズ系６，８と文字や図柄が記載されたフィルム７を組み合わせる。投影される実像の内容変更はフィルム７を差し替えるだけで行なえる。また、光源とフィルム７の距離を、装置内でスライドして変更できる。短焦点のレンズ系とすることで生じる実像の歪みはフィルムに記載する図柄にあらかじめ逆方向のゆがみを加えておくことで補正する。【選択図】図２
2016206625.tif 000002
【特許請求の範囲】
【請求項１】
文字や図柄によるサイン・標識を建造物や地面といったあらゆる平面に実像として投影するために、光源に凸レンズ系とフィルムを組み合わせることで実像を映し出す照明装置の仕組みとその使用方法
【請求項２】
柔軟な使い方を可能にするため、十分な大きさの実像を投影可能としつつも本体の大きさを小さく抑え、また簡易に実施可能な装置とするための仕組み。集光・投影レンズは軽量なアクリル凸レンズを複数重ね合わせることで短焦点のレンズ系を構成し、それによって生じる実像の歪みは、フィルムに記載する文字・図柄自体に予め逆方向の歪みを加えておくことで補正可能であり、実施に際して高度な工学設計を必要としてしない。
【発明の詳細な説明】
【技術分野】
【０００１】  本発明は、サインを実像として建造物や地面といったあらゆる平面へ投影するコンパクトな照明装置の簡易な仕組みとその使用方法に関するものである。
【背景技術】
【０００２】  従来のサインは、建造物や地面に塗料等を使って直接描く方法、又は看板などを設置する方法を採るため、一度設置すると内容の変更・撤去に手間とコストがかかる。また、周辺が暗く、サインそのものを照らす照明を設置しないと、情報の読み取りが困難になる。
【先行技術文献】
【０００３】
【特許文献１】
【発明の概要】
【発明が解決しようとする課題】
【０００４】  （イ）サインは一度設置してしまうと、そのサイズが大きいほど設置／内容の変更／撤去の度に手間とコストがか必要になる。
（ロ）周囲が暗いと、サインを読み取りにくいため、それらを明るく照らす為に、別途で照明を設置する必要がある。
本発明は、以上のような欠点を解消するためになされたものである。
【課題を解決するための手段】
【０００５】  集光レンズ、フィルム、投影レンズを通して、光源から発した光がフィルムに描かれた情報を建造物や地面といったあらゆる平面に実像として投影する。
本体のサイズを小さく抑え、また小さなレンズ系から大きな実像を映し出すことを可能にするため、集光レンズと投影レンズはそれぞれ軽量なアクリル凸レンズを４枚重ねることで短焦点のレンズ系を構成し、それにより大きな実像を映し出すのに必要な焦点距離を短くしている。またレンズ系を短焦点にしたことで発生する実像の歪みは、フィルムに記載する図柄にあらかじめ逆方向のゆがみを加えておくことで補正可能であり、実施にあたり高度な工学設計を必要としていない。
装置内部に取り付けられているフィルムを差し替えるだけで、投影される実像を変更できる。
投影レンズをスライドさせることで、投影面と装置の距離に応じてピント調整が可能。
光源には高輝度・省エネルギー・省スペースのＬＥＤを用いることで、本体のサイズを小さくするすることに成功しており、また状況に応じて電池式・電源式のどちらも対応可能で、いずれの方法でも投影対象面およびその周辺を十分に明るく照らすことができる。
設置に関しては、容易に取り付けもしくは取り外しを可能とするために、照明装置本体に固定用マグネットを廃する。
装置を構成するパーツは安価で身近で手に入れやすい材料を採用し、装置の構成を簡易にしているため誰でも容易に実施可能である、
本発明は、光源に凸レンズ系とフィルムを組み合わせることで実像を映し出す照明装置について、装置のサイズを小さく、かつ簡易に実施するための仕組みとその使用方法に関するものである。
【発明の効果】
【０００６】（イ）光源の光を集光・投影レンズに通すことで、フィルムに描かれた情報を実像として拡大投影することができるので、照明装置自体の大きさを小さく抑えることが可能となり、従来のサインのように大きな現物を設置する必要が無い。
（ロ）変更作業は、フィルムの変更のみなので、用途に最適な文字や図柄への変更が容易である。
（ハ）装置内でピント調整が可能であるため、装置の設置位置の変更によって投影面と装置の距離が変わっても、その距離に最適な像のサイズを選択することが可能である。
（ニ）高輝度のＬＥＤ光源を用いるため、周囲が暗くても見る側に情報を伝えることが容易になり、また周辺への照明代わりにもなる。このことから、夜間の防犯効果、永久日陰での活用機会が得られる。
（ホ）照明装置を構成する材料は安価で手に入りやすいものであり、また構成自体が単純であるため、容易に実施可能である。
【図面の簡単な説明】
【０００７】
【図１】本発明の使用例
【図２】本発明の透視図
【図３】本発明の断面図
【図４】本発明で使用するＬＥＤ回路
【図５】本発明の歪み補正の仕組み
【発明を実施するための形態】
【０００８】  以下、本発明を実施するための形態について説明する。
本体（１）の外カバー（１０）にスイッチ（２）があり、その内側に、単三電池（３）を配置しており、さらにその内側にフィルム（７）やＬＥＤチップ（５）、集光レンズ（６）、投影レンズ（８）が入っている。本体（１）の一端に、固定用マグネット（４）を配し、その面を壁や天井といった平面に貼り付ける。その固定用マグネット（４）側に、ＬＥＤチップ（５）を設置し、そこから投影面側に向けて集光レンズ（６）・フィルム（７）・投影レンズ（８）の順で配置している。集光レンズ（６）と投影レンズ（８）は安価で小径のアクリル凸レンズを重ねることで短焦点のレンズ系をつくることができる。レンズ系を短焦点にすることで本体（１）の大きさのコンパクト化を可能とし、かつ巨大な実像（９）を投影することを可能にしている。レンズ系を短焦点にしたことで発生する実像（９）の歪みはフィルム（７）に記載する図柄にあらかじめ逆方向のゆがみを加えておくことで補正している。
また、投影される実像（９）のピントの調整は、ＬＥＤチップ（５）と本体に差し込んだ投影レンズ（８）の距離を調整することで可能となる。
本発明は、以上のような構造である。
これを使用するときは、フィルム（７）を必要情報を記載したものに差し替え、投影したい面の対面に装置を設置すればよい。
【実施例１】
【０００９】  ここでは、電源に単三電池（３）を採用した場合に可能となるポータブルな実施例を紹介する。電池式の場合、照明装置として装置内で回路が完結するので、最小限のスペース内に設置する事が可能となり、設置場所が限定されない。そのため、この形態は、一時的なイベントスペース等での使用が可能である。
【実施例２】
【００１０】  次に、外カバー（１０）内側の単三電池（３）とＬＥＤチップ（５）を使わずに、ＬＥＤ照明とＡＣ電源を採用した場合の実施例を紹介する。ＡＣ電源を使用する事で、Ｗ数の高い光源を使うことができ、光束を上げることが可能である。また、ＡＣ電源からの電力の安定供給と、連続使用の安全性が確保されることから、常設使用が可能となる。
【符号の説明】
【００１１】  １  本体
２  スイッチ
３  単三電池
４  固定用マグネット
５  ＬＥＤチップ
６  集光レンズ
７  フィルム
８  投影レンズ
９  実像
１０  外カバー
【図１】
2016206625.tif 000003
【図２】
2016206625.tif 000004
【図３】
2016206625.tif 000005
【図４】
2016206625.tif 000006
【図５】
2016206625.tif 000007